(57)【要約】【課題】香炉内部の灰を散らすことなく線香の燃え残り部分を除去することができる仏具セットを提供する。【解決手段】香炉１は、線香１１の加工部１１ａが深さＢまで香炉灰１２に挿し込まれるように、加工部１１ａの先端を当接させる底面部１ｂを備え、火が付けられた線香１１が香炉灰１２に挿されたとき、加工部１１ａが燃え残り部分となって、清掃具で挟持することができる長さＡで香炉灰１２の表面から突出することを特徴とする。【選択図】図１
0003234707.tif 000002
【実用新案登録請求の範囲】
【請求項１】
香炉灰を入れた香炉と、
前記香炉に挿される線香に火を付ける着火装置と、
前記香炉に残る前記線香の燃え残り部分を挟持して除去する清掃具と、
を備え、
前記香炉は、
前記香炉灰の内部または下側に配置され、前記香炉灰に挿された前記線香の一の片側端部の先端を当接させる線香当接面部を備え、
前記線香当接面部は、
前記香炉灰に挿された前記線香の一の片側端部の先端が前記線香当接面部に当接した状態で、前記線香の一の片側端部に設けられた難燃性の加工部が、前記清掃具で挟持することができる長さで前記香炉灰の表面から突出する、前記香炉灰の表面からの深さ位置に配置される、
ことを特徴とする仏具セット。
【請求項２】
前記香炉は、
平板状または平坦なメッシュ状の前記線香当接面部を備える、
ことを特徴とする請求項１に記載の仏具セット。
【請求項３】
前記清掃具は、
前記線香の加工部を挟持する２つの挟持部と、
前記２つの挟持部の各基端側にそれぞれ一端が接続された２つの柄部と、
前記２つの柄部の各他端の間を接続する接続部と、
を備え、
前記２つの挟持部は、
前記基端側に接続された前記柄部の延設方向に位置する先端側で前記香炉灰の表面を平坦に整えることができる程度に前記柄部よりも幅広に形成されている、
ことを特徴とする請求項１または請求項２に記載の仏具セット。
【請求項４】
前記着火装置は、
透光性を有し、開口部を形成させた行灯部と、
内部にライターを収納し、前記ライターが発生させた炎を前記行灯部の内部に放出させる収納部と、
を備え、
前記収納部は、
前記着火装置が台に立てて載置されたとき、前記台に向かって拡がって接地面積が大きくなる形状の下端部と、
前記開口部を上方に向けて前記行灯部を支持する上端部と、
を備え、
前記行灯部は、
前記開口部から挿入された前記線香の他の片側端部が、前記ライターが発生させた炎に到達する大きさを有する、
ことを特徴とする請求項１から請求項３のいずれか１項に記載の仏具セット。
【考案の詳細な説明】
【技術分野】
【０００１】
本開示は、火を着けた線香を立てる香炉、線香に火を付ける着火装置、および、香炉から線香の燃え残り部分を除去する清掃具を備える仏具セットに関する。
【背景技術】
【０００２】
例えば、仏壇に線香をあげる場合、ライターなどの着火装置を用いて火を着けた線香を、香炉に入れた灰にさしている。このように灰に線香をさした場合、線香の下側部分が燃え残り、例えば、毎日の習慣として火の付いた線香を香炉に挿すと、香炉の中に多数の燃え残り部分が溜まる。
そこで、線香の燃え残り部分を清掃し易くするため、例えば、香炉に入れた灰の上側に金網を備えたものがある（特許文献１）。
この香炉は、上側に設けられている開口部に乗せる金網を備え、この金網の網目に線香を貫通させて、下側の灰に線香の端部を挿すように構成されている。このように灰に挿した線香は、網目に当接する部分まで燃え続けた後、この部分で火が消えることになり、燃え残り部分の先端が灰の表面から突出した状態になる。この線香の燃え残り部分を除去するときには、香炉から金網を外して灰の表面を露出させる必要がある。
【０００３】
また、線香に火を付ける着火装置として、例えば、使い捨てライターを内部に備えたものがある（特許文献２）。
この着火装置は、使い捨てライターを内部に設置するケース本体と、使い捨てライターから放出される炎を覆う風防体とを備え、ケース本体に備えられた操作部を手で握ることにより、ケース本体内部の使い捨てライターを点火させるように構成されている。
【先行技術文献】
【特許文献】
【０００４】
【特許文献１】特開２００１−２８６３８６号公報
【特許文献２】特開２０１４−１６０６５号公報
【考案の概要】
【考案が解決しようとする課題】
【０００５】
一般的には、香炉に溜まる線香の燃え残り部分は、例えば、スプーンなどを用いて取り除いている。
また、前述の特許文献１に開示されているように構成されたものは、繰り返し使用している間に、網目が変形することや拡がることがあり、線香が網目部分で消えることなく、灰に埋まっている部分まで燃え続ける場合がある。
そのため、線香の燃え残り部分が灰の表面から突出しなくなり、上記のようにスプーンなどを用いて取り除くことが必要になる。即ち、線香の燃え残り部分の除去に手間がかかるとともに、灰の粉煙を巻き上げる場合があるため、香炉の周辺が汚れることになる。
【０００６】
また、使い捨てライターを仏壇に備えて線香に火を付けることが一般的になっているが、上記の使い捨てライターは、仏具として違和感が生じる色合いや形状をしており、仏壇になじまないものが多い。また、使い捨てライターは、炎が揺らいで不安定になり易く、線香に火を付けることが難しくなる場合がある。
そのため、前述の特許文献２に開示されているように、使い捨てライターを内部に設置し、炎を覆う風防体を備えた装置があるが、このような装置は、一般的には、手に持った状態で線香に火を付けるように構成されている。そのため、仏壇において線香に火を付けるとき、何れかのものを持つ動作や置く動作が多くなる。このような動作が多くなると、例えば、火災を防ぐために注意しなければならない点が多くなり、不便を感じることがある。
【０００７】
本開示は、上記のような問題を解決するために行われたもので、香炉内部の灰を散らすことなく線香の燃え残り部分を除去することができる仏具セットを提供する。
【課題を解決するための手段】
【０００８】
本開示に係る仏具セットは、香炉灰を入れた香炉と、前記香炉に挿される線香に火を付ける着火装置と、前記香炉に残る前記線香の燃え残り部分を挟持して除去する清掃具と、を備え、前記香炉は、前記香炉灰の内部または下側に配置され、前記香炉灰に挿された前記線香の一の片側端部の先端を当接させる線香当接面部を備え、前記線香当接面部は、前記香炉灰に挿された前記線香の一の片側端部の先端が前記線香当接面部に当接した状態で、前記線香の一の片側端部に設けられた難燃性の加工部が、前記清掃具で挟持することができる長さで前記香炉灰の表面から突出する、前記香炉灰の表面からの深さ位置に配置されることを特徴とする。
【０００９】
また、前記香炉は、平板状または平坦なメッシュ状の前記線香当接面部を備えることを特徴とする。
【００１０】
また、前記清掃具は、前記線香の加工部を挟持する２つの挟持部と、前記２つの挟持部の各基端側にそれぞれ一端が接続された２つの柄部と、前記２つの柄部の各他端の間を接続する接続部と、を備え、前記２つの挟持部は、前記基端側に接続された前記柄部の延設方向に位置する先端側で前記香炉灰の表面を平坦に整えることができる程度に前記柄部よりも幅広に形成されていることを特徴とする。
【００１１】
また、前記着火装置は、透光性を有し、開口部を形成させた行灯部と、内部にライターを収納し、前記ライターが発生させた炎を前記行灯部の内部に放出させる収納部と、を備え、前記収納部は、前記着火装置が台に立てて載置されたとき、前記台に向かって拡がって接地面積が大きくなる形状の下端部と、前記開口部を上方に向けて前記行灯部を支持する上端部と、を備え、前記行灯部は、前記開口部から挿入された前記線香の他の片側端部が、前記ライターが発生させた炎に到達する大きさを有することを特徴とする。
【考案の効果】
【００１２】
本開示によれば、灰を散らかすことなく線香の燃え残り部分を除去することができる。
【図面の簡単な説明】
【００１３】
【図１】本開示の実施の形態による仏具セットの香炉の構成を示す説明図である。
【図２】実施の形態による仏具セットの香炉の他の構成を示す説明図である。
【図３】図２の香炉の構成を示す説明図である。
【図４】実施の形態による仏具セットの着火装置の外観を示す説明図である。
【図５】図４の着火装置の内部構成を示す説明図である。
【図６】実施の形態による仏具セットの清掃具の構成を示す説明図である。
【考案を実施するための形態】
【００１４】
以下、この考案の実施の一形態を説明する。
図１は、本開示の実施の形態による仏具セットの香炉１の構成を示す説明図である。図１（ａ）は、香炉１の内部構成を示したもので、図１（ｂ）は、香炉１にたてる線香１１の構成を示している。
【００１５】
図１（ａ）の香炉１は、耐火性および耐熱性の材料を用いて形成されたもので、例えば、瀬戸物や銅製の器である。香炉１は、香炉灰１２を入れる本体１ａの上側に開口部１ｃを有し、香炉１を例えば仏壇の台に載置したとき本体１ａを支える支持部１ｄを、本体１ａの下側に有している。
香炉１は、本体１ａの内部の底面部１ｂ（線香当接面部）が平面に形成されており、本体１ａに入れた香炉灰１２の表面を平坦に整えると、当該香炉灰１２の深さを均一にすることができるように形成されている。
ここで説明する香炉１には、香炉灰１２が深さＢとなるように入れられている。換言すると、香炉灰１２の下側に底面部１ｂが配置されている。
【００１６】
図１（ｂ）の線香１１は、長手方向の一方の片側端部を燃えないように加工した加工部１１ａが設けられている。
加工部１１ａは、線香１１の一方の片側端部から長さＣの位置までの範囲部分であり、この部分に、例えば、耐熱６００［℃］の耐熱塗料が塗布されている。換言すると、加工部１１ａは、線香１１の長手方向において長さＣを有する。
なお、加工部１１ａは、線香１１を難燃性に（火が消えるように）加工した部分であり、加工部１１ａに施す加工は、水性多目的塗料を塗布する加工でも良く、上記の耐熱塗料を塗布することに限定されない。また、何れかの塗料を塗布する加工に限定されるものでもない。
【００１７】
例えば、長さＣが３０［ｍｍ］の加工部１１ａを有する線香１１を用いるとき、香炉１には、深さＢが２５［ｍｍ］となるように香炉灰１２が入れられる。また、香炉１に入れられた香炉灰１２は、表面が平坦に整えられている。換言すると、深さＢの位置に底面部１ｂが配置されている。
この香炉１に、上記の加工が施されていない（耐熱塗料が塗布されていない）他方の片側端部に、（後述する着火装置３を用いて）火を着けた線香１１をたてる。このとき、図１（ａ）に示したように、加工部１１ａの先端が底面部１ｂに当接するように、線香１１を香炉灰１２に深くさし込む。
香炉１に立てられた線香１１は、火が付けられた他方の片側端部から燃焼が進行して、香炉灰１２の表面から突出している加工部１１ａの基端まで燃え続ける。
上記のように香炉１に線香１１をたてて燃焼させると、香炉灰１２の表面から加工部１１ａが長さＡの部分を突出させて火が消える。
【００１８】
香炉１に立てられた線香１１の火が消えると、線香１１の加工部１１ａが燃え残る。
香炉灰１２の表面から底面部１ｂまでの深さＢを２５［ｍｍ］、線香１１の加工部１１ａの長さを３０［ｍｍ］としたとき、上記の突出した部分の長さＡは５［ｍｍ］となる。
即ち、加工部１１ａは、香炉灰１２の表面から５［ｍｍ］突出した状態で燃え残る。
上記のように、例えば５［ｍｍ］程、香炉灰１２から突出している部分は、後述する清掃具４２によって挟持することにより、香炉１から容易に除去することができる。
換言すると、香炉１は、加工部１１ａが清掃具４２で容易に挟持することができる長さＡを突出させて燃え残るように、香炉灰１２の表面から底面部１ｂまでの深さＢを設定して底面部１ｂが配置されている。
【００１９】
図２は、実施の形態による仏具セットの香炉２の構成を示す説明図である。香炉２は、香炉１に用いた線香１１を立てるように構成されたもので、香炉１と同様に耐熱性、耐火性を有する材料によって形成された器であり、香炉灰２３を入れる本体２ａの上側に開口部２ｃを有し、香炉２を例えば仏壇の台に載置したとき本体２ａを支える支持部２ｄを、本体２ａの下側に有している。
即ち、香炉２は、概ねの外観が香炉１と同様に形成されており、この実施の形態の仏具セットに、香炉１に替えて備えることができるものである。
【００２０】
図３は、図２の香炉２の構成を示す説明図である。図３（ａ）は、香炉２の内部構成を示したもので、図３（ｂ）は、香炉２に備える仕切り部材２２の構成を示したものである。
香炉２は、一般的に量産、販売されている形状でよく、本体２ａの底面部２ｂは、例えば、球状の下側部分のような形状でもよく、即ち、平面でなくてもよい。
本体２ａの内部は、例えば、略すり鉢状に形成されており、香炉２を上方から見たとき、底面部２ｂの面積を小さく形成し、本体２ａ内部の側壁部分が、底面部２ｂから上方に向かって拡がるように形成されている。
【００２１】
香炉２は、本体２ａの内部に配置する仕切り部材２２（線香当接面部）を備えている。
仕切り部材２２は、耐熱性および耐火性を備えた、平板材や平坦なメッシュ材（金網）等を用いて、平面部分を正面視したとき真円形状となるように形成されている。
なお、仕切り部材２２は、線香１１、もしくは加工部１１ａが貫通する大きさの孔等を有していないもので、線香１１の長手方向の端部に当接して、当該線香１１の位置決めを行うことができるものである。
メッシュ材によって仕切り部材２２を形成する場合には、線香１１等が貫通する大きさの隙間や孔等を有していないものが用いられる。
また、仕切り部材２２は、例えば、上記のように真円状に形成された平面部分の縁周が、本体２ａ内部の側壁部分に当接して、底面部２ｂの上側に配置されるように構成されている。
【００２２】
本体２ａに香炉灰２３を入れたとき、仕切り部材２２は、香炉灰２３の内部に埋められた状態になって、図３（ａ）に示したように底面部２ｂの上側に配置される。
なお、香炉灰２３は、前述の香炉灰１２と同様なものである。
香炉２に線香１１を立てる場合、本体２ａに入れる香炉灰２３は、香炉灰２３の表面から仕切り部材２２までの深さＤが、前述の深さＢと同様になるように調整される。
換言すると、香炉灰２３の内部に埋設される仕切り部材２２は、深さＤの位置に配置される。
【００２３】
例えば、図１（ｂ）に示した長さＣが３０［ｍｍ］の加工部１１ａを有する線香１１を用いるとき、香炉２には、深さＤが２５［ｍｍ］となるように香炉灰２３が入れられる。
火を着けた線香１１を香炉２に立てる場合には、上記のように香炉２（本体２ａ）に入れられた香炉灰２３の表面を平坦にならして、香炉灰２３の深さＤを２５［ｍｍ］に整えておき、火の付いた線香１１を加工部１１ａ（一の片側端部）から香炉灰２３に深く挿し込む。このとき、加工部１１ａの先端が、香炉灰２３に埋設されている仕切り部材２２に当接するまで線香１１を深く挿す。
【００２４】
上記のように香炉灰２３に線香１１を挿すと、加工部１１ａが香炉灰２３の表面から５［ｍｍ］突出した状態で燃え残る。
燃え残った加工部１１ａの、香炉灰２３の表面から突出した部分は、例えば、後述する清掃具４２によって挟持して香炉２から除去する。
香炉２に火を着けた線香１１を立てた場合でも、前述の香炉１に線香１１を挿した場合と同様に、香炉灰２３の表面から長さＡの加工部１１ａが突出して燃え残る。上記の突出した部分は、清掃具４２によって容易に挟持することができ、香炉２から容易に線香１１の燃え残り部分（加工部１１ａ）を除去することができる。
【００２５】
図４は、実施の形態による仏具セットの着火装置３の外観を示す説明図である。着火装置３は、耐火性および耐熱性を備え、また、透明もしくは透光性を備えた、例えば、ガラス等によって形成された行灯部３１と、行灯部３１の下側に接続され、耐熱性、耐火性を有する材料によって形成された収納部３２とを備えて構成されている。
行灯部３１は、例えば、花のつぼみの形状を模して、上端部を開口させた上側開口部３１ａを備えて形成されており、後述するガスライター３３の炎に触れることなく、当該炎の側方を囲むことができる広さの内部空間を有する。
また、行灯部３１の下端部には、上記の内部空間に連なる下側開口部３１ｂを有する。
【００２６】
収納部３２の下端部３２ａは、行灯部３１が収納部３２の上側に配置され、上側開口部３１ａが上方を向くように、着火装置３が立った状態で、例えば、仏壇の台に載置することができるように形成されている。
即ち、下端部３２ａは、着火装置３を安定させて立てることができるように、例えば、適当な重量を有し、仏壇の台等に置いたとき、台等に向かって拡がって接地面積が大きくなる形状に形成されている。
【００２７】
図５は、図４の着火装置の内部構成を示す説明図である。この図は、収納部３２の断面、収納部３２の上側に配置される行灯部３１、収納部３２に収納するガスライター３３を示したものである。
収納部３２は、下端部３２ａに収納開口部３２ｂを有し、収納開口部３２ｂからガスライター３３を挿入することができるように形成されている。
また、収納部３２は、収納開口部３２ｂから連なる空間が内部に形成されており、この空間は、ガスライター３３を収納部３２の内部において位置決めすることできる形状に形成されている。
また、収納部３２は、上記の空間から連なって、収納部３２の上端部３５まで貫通する貫通孔が設けられている。
【００２８】
ガスライター３３は、例えば、使い捨て型のライターであり、例えば、ガス等の燃料を収納するライター本体３３ｃから突出している（炎を放出する）炎ノズル部３３ａ、ガス等の燃料に着火させるときに操作する着火操作部３３ｂ等を備えて構成されている。
なお、図５に示したガスライター３３は一例であり、収納部３２に収納するガスライター３３は、図示した構成のものに限定されない。また、収納部３２に収納するライターは、ガスを燃料とするものに限定されない。
【００２９】
収納部３２は、収納開口部３２ｂに、炎ノズル部３３ａからガスライター３３が挿入され、上記の内部空間にガスライター３３が収納されたとき、炎ノズル部３３ａが上端部３５の貫通孔から露出する、もしくは突出するように形成されている。
上端部３５は、例えば、上記の貫通孔を有する筒状に形成され、行灯部３１の下側開口部３１ｂに嵌合し、収納部３２に行灯部３１が支持される大きさに形成されている。
また、収納部３２は、例えば、上記のようにガスライター３３を収納したとき、ガスライター３３の着火操作部３３ｂを操作することができる操作設置部３４を備えている。
【００３０】
操作設置部３４は、図５に例示したものは、ガスライター３３の着火操作部３３ｂを収納部３２の側方部分から突出、もしくは露出させる孔部分であるが、例えば、押し釦を備え、また、この押し釦が操作されることにより、ガスライター３３の着火操作部３３ｂを稼働させる機構を備えて構成してもよい。
また、操作設置部３４は、上記の押し釦に替えて操作レバーを備え、この操作レバーに行われた操作に応じて、ガスライター３３の着火操作部３３ｂを稼働させる機構を備えて構成してもよい。
なお、操作設置部３４は、上記の押し釦および操作レバーを備える構成に限定されず、他の操作機構を備えて構成してもよい。
また、操作設置部３４の設置位置は、図５に例示した上端部３５の下側に限定されず、着火装置３を仏壇の台等に立てた状態で操作することができる位置であれば、収納部３２のどこに設置してもよい。
【００３１】
収納部３２は、前述のように下端部３２ａの接地面積を広く形成し、例えば、行灯部３１（上端部３５）の下側に設けた操作設置部３４において、内部に収納したガスライター３３の着火操作部３３ｂを操作することができるように形成されている。
操作設置部３４は、前述のように押し釦または操作レバーを備えるとき、押し釦または操作レバーを軽く操作しただけでガスライター３３を着火させる機構を備えて構成するとよい。この場合、誤ってガスライター３３が着火することを防ぐため、例えば、容易に指等が接触する位置を避けて操作設置部３４を設置する。
上記のように構成すると、着火装置３を仏壇の台等に立てた状態で、軽い操作で着火させることが可能になり、着火装置３を置いた状態で安全に線香１１に火を付けることができる。
【００３２】
収納部３２は、内部に収納したガスライター３３から炎が放出されたとき、上端部３５に嵌合させた行灯部３１の内部に上記の炎が位置して、行灯部３１に明かりが灯った状態となるように構成されている。
即ち、着火装置３は、仏壇の台等に立てて載置した状態でガスライター３３を着火させて、美観を有する行灯部３１に明かりを灯すことができる。
行灯部３１の上側開口部３１ａは、ガスライター３３が炎を発生させたとき、この炎によって生じる熱を十分に行灯部３１の外部に放出することができる大きさに形成されている。また上側開口部３１ａは、線香１１を挿入することができる大きさを有している。
【００３３】
行灯部３１は、ガスライター３３を着火させた状態で、上側開口部３１ａに、線香１１の先端部分（他の片側端部）を挿入すると、この線香１１の先端部分がガスライター３３の炎の位置に到達する大きさ形状に形成されている。換言すると、行灯部３１は、上側開口部３１ａから挿入された線香１１の先端部分が、行灯部３１の内部で燃えているガスライター３３の炎に届く高さ（下側開口部３１ｂから上側開口部３１ａまでの高さ）を有して形成されている。
【００３４】
上記のように形成された行灯部３１および収納部３２を備える着火装置３は、仏壇の台等に載置した状態で、線香１１に火を付けることができるように構成されているため、香炉１，２等の近傍に配置することが好ましい。
【００３５】
図６は、実施の形態による仏具セットの清掃具４２の構成を示す説明図である。図６（ａ）は清掃具４２の構成を示し、図６（ｂ）は清掃具４２を収納容器４３に収納した状態を示している。
清掃具４２は、香炉１，２等に残っている線香１１の燃え残り部分を挟持する２つの挟持部４２ａ、各挟持部４２ａの基端側に一端が接続される柄部４２ｂ、２つの柄部４２ｂの各他端の間を接続する接続部４２ｃを備えて構成されている。
【００３６】
挟持部４２ａは、香炉灰１２の表面から突出している線香１１の燃え残り部分、即ち、加工部１１ａをつかみ易くするため、また、香炉灰１２等の表面を平らに整えるために、柄部４２ｂよりも幅広形状に（幅Ｅを有する形状に）形成されている。
即ち、挟持部４２ａは、先端側で香炉灰１２等の表面を平坦に整えることができる程度に、幅広に形成されており、例えば、幅Ｅを１２［ｍｍ］程度に設定して形成するとよい。
また、挟持部４２ａは、先端側で香炉１等に入っている香炉灰１２等の表面を平らに整えることができるように、例えば、柄部４２ｂの延設方向に位置する先端側（柄部４２ｂが接続されていない側）に、概ね直線状に形成された先端部を有している。詳しくは、挟持部４２ａの先端部は、香炉灰１２等の表面を平らに整えるときに、当該香炉灰１２等の粉煙が巻き上がることを防ぐため、上記の先端部に、複数の細かい凹凸部位が直線状に並べられて配置されている。
【００３７】
清掃具４２は、ピンセットやトングと同様に、２本の柄部４２ｂを有し、これらの柄部４２ｂを、例えば、ばね性を有する接続部４２ｃによって接続している。
接続部４２ｃは、２本の柄部４２ｂが適当に開くように付勢し、使用者が清掃具４２を把持していないときには、２つの挟持部４２ａの間が開いており、加工部１１ａを挟持するために使用者が柄部４２ｂを把持したとき、２つの挟持部４２ａが接触し合うように設けられている。
【００３８】
清掃具４２に挟持され、香炉１，２等から除去された線香１１の燃え残り部分、即ち、加工部１１ａは、香炉１，２等の近傍（例えば、仏壇の台）に置かれている収納容器４３に収納する。また、清掃具４２を使用しないときには、当該清掃具４２を収納容器４３の開口部に差し込んで収納しておく。
【００３９】
以上のように、実施の形態の仏具によれば、香炉灰１２等の表面から突出している線香１１の燃え残り部分を除去するようにしたので、香炉灰１２等の粉煙を巻き上げることを抑えて、周囲を汚すことを防ぐことができる。また、使用者が香炉灰１２等の粉煙を吸引することが抑えられ、衛生的に使用することができる。
また、線香１１の燃え残り部分を短時間で除去することができ、適当な日時の間隔をあけて、簡易な作業で香炉１等の清掃を行うことが可能になる。
また、燃え残り部分の除去に用いる清掃具４２によって、香炉灰１２等の表面を平坦に整えるようにしたので、燃え残り部分を除去した後、すぐに香炉灰１２等を平坦に整えることができる。
また、香炉１の底面部１ｂを平坦に形成し、または、香炉２の内部に仕切り部材２２を備えて、線香１１が香炉灰１２等の所定深さまで挿し込まれるようにしたので、常に、線香１１が香炉灰１２等に挿し込まれる深さを一定にすることができる。
【００４０】
また、仏壇の台等に載置した着火装置３に炎を発生させると、行灯部３１の内部に明かりが灯ることから、仏具として美観を生じさせることができ、仏壇に違和感なく備えることができる。
また、着火装置３を仏壇の台等に載置した状態において、軽い操作で線香１１に着火することができるようにしたので、安定した状態で線香１１に火を付けることができ、火災等に対する安全性を向上させることができる。
また、行灯部３１の上側開口部３１ａに線香１１の先端を挿入して火を付けるようにしたので、例えば、扇風機やエアコン等が発生する風の影響を防いで線香１１に火を付けることができ、また、火が周囲に飛散すること（飛び火）を防ぐことができ、火災等に対する安全性を向上させることができる。
【符号の説明】
【００４１】
１，２  香炉
１ａ，２ａ  本体
１ｂ，２ｂ  底面部
１ｃ，２ｃ  開口部
１ｄ，２ｄ  支持部
３  着火装置
１１  線香
１１ａ  加工部
１２，２３  香炉灰
２２  仕切り部材
３１  行灯部
３１ａ  上側開口部
３１ｂ  下側開口部
３２  収納部
３２ａ  下端部
３２ｂ  収納開口部
３３  ガスライター
３３ａ  炎ノズル部
３３ｂ  着火操作部
３３ｃ  ライター本体
３４  操作設置部
３５  上端部
４２  清掃具
４２ａ  挟持部
４２ｂ  柄部
４２ｃ  接続部
４３  収納容器
【図１】
0003234707.tif 000003
【図２】
0003234707.tif 000004
【図３】
0003234707.tif 000005
【図４】
0003234707.tif 000006
【図５】
0003234707.tif 000007
【図６】
0003234707.tif 000008